(57)【要約】      （修正有）【課題】把持部が本体内に収納され、不使用時には邪魔にならず、引き出しハンガーとして使用するときは所定の長さが確保できるトロリーバックの提供。【解決手段】衣類および個人用品を収納できる収納部を備えた本体部１の底板に床面を転動する複数のキャスタ８を軸設し、この本体部１の上側部分２に配置した把持部４がこの本体部内に配設したガイドに沿って引き出し可能とし、この把持部４を把持して本体部を搬送するトロリーバックにおいて、前記把持部４を中空体の筒状に形成し、この中空部分内に、左右両端から引き出し延長できるように径の異なる複数の中棒４ａ，４ｂ，４ｃを嵌合し、この中棒の個々を引き出し可能とし、長さが調節できるハンガーとして利用できるトロリーバックの構成である。【選択図】図１
0003116497.tif 000002
【実用新案登録請求の範囲】
【請求項１】
衣類および個人用品を収納できる収納部を備えた本体部の底板に床面を転動する複数のキャスタを軸設し、この本体部の上側部分に配置した把持部がこの本体部内に配設したガイドに沿って引き出し可能とし、この把持部を把持して本体部を搬送するトロリーバックにおいて、
前記把持部を中空体の筒状に形成し、この中空部分内に、左右両端から引き出し延長できるように径の異なる複数の中棒を嵌合し、この中棒の個々を引き出し長さが調節でき、ハンガーとして利用できることを特徴とするトロリーバック。
【請求項２】
前記把持部の縦断面形状が楕円形であり、この中空体内に遊嵌する中棒の各段の境界域に引き出し係止機構を備えることを特徴とする請求項１に記載のトロリーバック。
【請求項３】
前記本体部の上端部に前記把持部が埋没できる嵌合溝を備え、この嵌合溝内において前記把持部が妄りに脱出しないような機構を備えることを特徴とする請求項１または請求項２に記載のトロリーバック。
【考案の詳細な説明】
【技術分野】
【０００１】
本考案は、旅行用などに多く使用されている底板にキャスタを備え、上部に配置した把持部を引っ張って移動可能なトロリーバックに関し、特に、把持部に不使用時に上着類などを掛けるためのハンガー機能を有するトロリーバックに関する。
【背景技術】
【０００２】
旅行鞄などのキャスタを備え、この旅行鞄を床上で、キャスタを転がせて移動搬送するために、旅行鞄の上端に設けた把持部を供えたものが一般に多く使用されている。この把持部は本体収納部の枠体に固定されたものや、本体内に収納し、必要時に枠体からスライドして引き出せるものなど種々のものが市販されている。また、この把持部にハンガー機能を持たせたものとして特表平９−５１０１３６号公報（特許文献１）や特開２００４−７３５３４号公報（特許文献２）に記載の技術が知られている。
【０００３】
【特許文献１】特表平９−５１０１３６号公報図１０
【特許文献２】特開２００４−７３５３４号公報  第１頁
【考案の開示】
【考案が解決しようとする課題】
【０００４】
前記特許文献１に記載の技術は、横幅のあるガーメントバックに係り、このバック本体の背面から引き出させるようにハンドルを収納取付けられたもので、このハンドルの把持部内部に引き出し可能な一本の角棒が挿入されている。この角棒を引き出すことにより、この角棒をハンガーとして利用するものであるが、中筒一本を引き出すものであるからその長さに限度があったそのためハンガー機能として充分な働きがなかった。また、特許文献２に記載される技術において把持部の両側から引き出すハンガー棒について記載されているが、一定の太さの棒が示されており。把持部が幅広く形成され、ハンガーとして使用する左右の棒を互い違いに平行に配置して把持部に挿入されるようになっている。
【０００５】
本考案の課題は簡易な機構で、確実に引き出せて、ハンガーとしての機能を充分に発揮するトロリーバックを提供することである。
また、他の課題は、ハンガー機能を備えた把持部がコンパクトにまとめられ、収納部を有する本体部に収納でき、不使用時には邪魔にならず、引き手として使用するときには容易に引き出し可能であり、衣類のハンガーとして十分な働きをする把持部を備えたトロリーバックを提供することである。
【課題を解決するための手段】
【０００６】
本考案は、上記課題を解決するため、衣類および個人用品を収納できる収納部を備えた本体部の底板に床面を転動する複数のキャスタを軸設し、この本体部の上側部分に配置した把持部がこの本体部内に配設したガイドに沿って引き出し可能とし、この把持部を把持して本体部を搬送するトロリーバックにおいて、前記把持部を中空体の筒状に形成し、この中空部分内に、左右両端から引き出し延長できるように径の異なる複数の中棒を嵌合し、この中棒の個々を引き出し可能とし、長さが調節できるハンガーとして利用できるトロリーバックの構成である。
【０００７】
本考案の前記課題は前記本体部の上端部に前記把持部が埋没できる嵌合溝を備え、この嵌合溝内において前記把持部が妄りに脱出しないような機構を備える構成、前記把持部の縦断面形状が楕円形であり、この中空体内に遊嵌する中棒の各段の境界域に引き出し係止機構を備える構成によって達成できる。
【０００８】
本考案のトロリーバックは、本体部を牽引する把持部の筒状の左右両端から内蔵する引き出し可能な太さ（径）が異なる中棒を複数本遊嵌し、この中棒を数段階に引き出し、この中棒を順次引き出して長さを調節できるように配置してある。
【考案の効果】
【０００９】
本考案のトロリーバックは、本体に設けた嵌合溝内に埋没収納できる把持部に多段式引き出し可能なハンガー棒を内蔵するから不使用時には把持部内に収納でき、邪魔にならず、必要なときに把持部を引き出してハンガーとして使用するときには把持部の長さが片側で数段階に引きだせるので全体として約３２０ｍｍの長さまで引き出し可能であり、其の長さは適宜調節できるので小物から上着スーツまで幅広くハンガーとして利用することができる。
また、把持部の縦断面形状が楕円形になっているので、デザイン的に好ましい外観を呈するばかりでなく、把持したときに手指によって握り易いなどの効果を発揮する。
【考案を実施するための最良の形態】
【００１０】
本考案に係るトロリーバックを実施するための最良の形態を図面に基づいて説明する。
図１は本考案のトロリーバックを示す実施形態の斜視図、図２は本考案のトロリーバックの把持部の構造を示す説明図である。図３は本考案のトロリーバックの把持部が不使用状態を示す背面図、図４は本考案のトロリーバックの把持部のハンガーとしての使用状態図である。
【００１１】
本考案に係るトロリーバックは、図１に示すように、本体部１の上端部２に嵌合溝３が設けられている。本体部１内に設けたガイド（図示せず）に沿って上下する２本のロッド５,５の上端に把持部４が固着してある。この把持部４は不使用時には本体部１の前記嵌合溝３内に収納埋没するようになっており、妄りに脱出しないような係合機構である係止部が設けられている。例えば、合成樹脂などの可撓性の凹型の半円環の断面を有するものなどである。
【００１２】
この把持部４は中空筒に形成され、図２に示されるように縦断面形状を楕円形にして手のひらによって把持し易くなっている。この把持部４内に３段に引き出し可能なように太さ（径）の相違する中棒４ａ，４ｂ，４ｃが遊嵌してある。これら中棒４ａ，４ｂ，４ｃの重合部分には係止機構としてストッパ６,６,が設けられており、この中棒４ａ，４ｂ，４ｃを引き出したときに、抜け落ちしないようになっている。したがって、夫々が所定の位置で係止できる。この中棒４ａ，４ｂ，４ｃは個々に適宜に引き出される長さを変えて把持部４の全体の長さが調節できる。また、この把持部４の表面は滑り止めになるような複数本の輪溝が形成されている。
【００１３】
７,７は本体部１に収納され、本体部１内に設けたガイドに沿って移動するロッド５,５の上端に係合する係合部である。このような把持部４を収納可能になっている本体部１の底板には複数のキャスタ８,８・・が固着してある。９は把持部４を使用しないときに使用する手提げ部である。
【００１４】
本考案のトロリーバックは、通常は手提げ部９を把持して本体部１を持ち上げて移動することができるが、本体部の中身が多く、重たいときは持ち運びが困難であり、把持部４を手で把持して本隊部１のキャスタ８を床上に転がして移動搬送できる。
【００１５】
把持部を使用するときは把持部４を手指で把持して本体部１の嵌合溝３から引き出し、この把持部４に連結しているロッド５,５に沿って引き出す。このとき把持部４の係止機構が解放される。引き出されたロッド５,５は係着部１０,１０の位置で停止する。この引き出した把持部４を把持して引っ張ることによりトロリーバックの本体部１のキャスタ８を床面に転がして移動搬送できる。
【００１６】
本考案のトロリーバックをハンガーとして使用するときは、把持部４の左右の中棒４ｃを引き出し、更に、所定の長さ引き出してストッパ６によって中棒４ｂ、中棒４ａを所定の位置で停止させる。
このとき把持部４に引っ掛けるものによって長さを調節することができ、図４は把持部４において中棒を最大の長さに引き出し、ハンガーとして使用した状態を示す説明図である。
【図面の簡単な説明】
【００１７】
【図１】本考案のトロリーバックを示す実施形態の斜視図である。
【図２】本考案のトロリーバックの把持部の構造を示す説明図である。
【図３】本考案のトロリーバックの把持部が不使用状態を示す背面図である。
【図４】本考案のトロリーバックの把持部をハンガーとしての使用状態図である。
【符号の説明】
【００１８】
１      本体部
２      上端部
３      嵌合溝
４      把持部
５      ロッド
６      ストッパ
７      係合部
８      キャスタ
９      手提げ部
【図１】
0003116497.tif 000003
【図２】
0003116497.tif 000004
【図３】
0003116497.tif 000005
【図４】
0003116497.tif 000006